(57)【要約】【課題】小型化が可能なコネクタを提供する。【解決手段】メスハウジング２０は、メスハウジング２０の右側外側面２１と左側外側面２３とが、ガイドアーム１３とロックアーム１５との間に挟まれて、左右方向へのメスハウジング２０の移動が規制された状態で、オスハウジング１０とメスハウジング２０とが嵌合される際に、上下方向へのガイドアーム１３の移動を規制してガイドアーム１３の嵌合方向への移動を案内する第１のガイドレール２５と、仮嵌合状態においてロックアーム１５に係止されて嵌合方向へのオスハウジング１０の移動を規制する仮係止突起３３と、可撓性を有するランス３６と、仮嵌合状態において、半挿入検知ピン１２の一部を収容するフード部３８と、を有している。【選択図】図１０
2014035947.tif 000002
【特許請求の範囲】
【請求項１】
オス端子を保持するオスハウジングと、
前記オスハウジングと嵌合可能である筒状に形成され、前記オス端子と電気的に接続されるメス端子を収容して保持する端子収容室を有するメスハウジングと、
を備えるコネクタであって、
前記オスハウジングは、
前記オスハウジングと前記メスハウジングとが嵌合される方向である嵌合方向に長手方向が沿うように前記オス端子を保持する、平板状に形成された壁部と、
前記オス端子の前記メス端子との接触端側に、前記壁部から延設された半挿入検知ピンと、
前記半挿入検知ピンと同じ向きに、前記壁部から延設されたガイドアームと、
前記半挿入検知ピンと同じ向きに、前記壁部から延設された可撓性を有するロックアームと、
を有し、
前記メスハウジングは、
前記メスハウジングの第１の外側面と該第１の外側面とは反対側の第２の外側面とが、前記ガイドアームと前記ロックアームとの間に挟まれて、前記第１の外側面と前記第２の外側面とが対向する方向である左右方向への前記メスハウジングの移動が規制された状態で、前記オスハウジングと前記メスハウジングとが嵌合される際に、前記嵌合方向及び前記左右方向のそれぞれに垂直な方向である上下方向への前記ガイドアームの移動を規制して前記嵌合方向への前記ガイドアームの移動を案内する、前記第１の外側面から突設された第１のガイドレールと、
前記オスハウジングと前記メスハウジングとが中途まで嵌合した状態である仮嵌合状態において前記ロックアームに係止されて前記嵌合方向への前記オスハウジングの移動を規制する、前記第２の外側面から突設された仮係止突起と、
可撓性を有して前記メス端子を抜け止め可能に形成され、前記メス端子が前記端子収容室に半挿入された状態において、前記オスハウジングと前記メスハウジングとが完全に嵌合される場合に、前記半挿入検知ピンに当接するランスと、
前記仮嵌合状態において、前記半挿入検知ピンの少なくとも一部を収容するフード部と、
を有する、
ことを特徴とするコネクタ。
【請求項２】
前記仮嵌合状態においては、前記オス端子の一部が、前記フード部に収容される、
ことを特徴とする請求項１に記載のコネクタ。
【請求項３】
前記メスハウジングは、前記オスハウジングと前記メスハウジングとが完全に嵌合した状態である本嵌合状態において前記ロックアームに係止されて前記嵌合方向への前記オスハウジングの移動を規制する、前記第２の外側面から突設された本係止突起を更に有し、
前記本嵌合状態においては、前記半挿入検知ピンが、前記ランスの変形を規制して前記端子収容室への前記メス端子の挿抜を規制し、
前記本係止突起は、前記メス端子を前記端子収容室に正規に挿入する際に前記メスハウジングに前記嵌合方向に作用する力が、前記オスハウジングと前記メスハウジングとを前記仮嵌合状態から前記本嵌合状態に遷移させる際に前記オスハウジングに前記嵌合方向に作用する力よりも小さくなるように傾斜した傾斜面を側面に有する、
ことを特徴とする請求項１又は請求項２に記載のコネクタ。
【請求項４】
前記第１のガイドレールは、該第１のガイドレールから前記上下方向に延びるように延設された規制部を有し、
前記ガイドアームは、前記嵌合時において前記規制部と前記第１の外側面との間に位置する当接部を有し、
前記オスハウジングと前記メスハウジングとが嵌合した状態においては、前記当接部が前記規制部に当接することによって、前記ガイドアームの前記第１の外側面から離間する方向への移動が規制される、
ことを特徴とする請求項１〜請求項３のいずれか１項に記載のコネクタ。
【請求項５】
前記ロックアームは、前記上下方向に離間して形成される、前記壁部から前記嵌合方向に延びる複数の基部と、該基部の先端それぞれに連結され、前記仮係止突起に係止される係止面を画成する接続部と、を有する、
ことを特徴とする請求項１〜請求項４のいずれか１項に記載のコネクタ。
【請求項６】
前記仮係止突起は、第１の仮係止突起と、該第１の仮係止突起に対して上下方向に並んで形成される第２の仮係止突起と、を有する、
ことを特徴とする請求項１〜請求項５のいずれか１項に記載のコネクタ。
【請求項７】
前記メスハウジングは、前記上下方向への前記ロックアームの移動を規制して前記嵌合方向への前記ロックアームの移動を案内する、前記第２の外側面から突設された第２のガイドレールを更に有する、
ことを特徴とする請求項１〜請求項６のいずれか１項に記載のコネクタ。
【発明の詳細な説明】
【技術分野】
【０００１】
本発明は、コネクタに関する。
【背景技術】
【０００２】
オスハウジングとメスハウジングとが嵌合されることにより、両ハウジングの内部にそれぞれ収容された端子同士の電気的な接続を図るコネクタが知られている（例えば、特許文献１参照。）。
【先行技術文献】
【特許文献】
【０００３】
【特許文献１】特開２００７−２６７６９号公報
【発明の概要】
【発明が解決しようとする課題】
【０００４】
まず、図１４を参照して、従来のコネクタについて説明する。図１４は、従来のコネクタを示す縦断面図である。
【０００５】
コネクタロック構造１１０は、雄型コネクタ１１２と雌型コネクタ１２２とを係止させる構造である。雄型コネクタ１１２には短筒状の雄型フード部１１４が形成され、雄型フード部１１４の外面側には係止爪１１６が突設されている。雌型コネクタ１２２には短筒状で可撓性の雌型フード部１２４が形成され、雌型フード部１２４には係止爪１１６を係止させる係止用凹部１２６が形成されている。そして、雌型フード部１２４を外面側から押圧して撓ませることにより、係止用凹部１２６に係止された係止爪１１６の係止解除が可能になっている。
【０００６】
近年では、コネクタの更なる小型化が望まれている。
【０００７】
本発明は、上述した事情に鑑みてなされたものであり、小型化が可能なコネクタを提供する。
【課題を解決するための手段】
【０００８】
前述した目的を達成するために、本発明に係るコネクタは、下記（１）〜（７）を特徴としている。
（１）  オス端子を保持するオスハウジングと、
前記オスハウジングと嵌合可能である筒状に形成され、前記オス端子と電気的に接続されるメス端子を収容して保持する端子収容室を有するメスハウジングと、
を備えるコネクタであって、
前記オスハウジングは、
前記オスハウジングと前記メスハウジングとが嵌合される方向である嵌合方向に長手方向が沿うように前記オス端子を保持する、平板状に形成された壁部と、
前記オス端子の前記メス端子との接触端側に、前記壁部から延設された半挿入検知ピンと、
前記半挿入検知ピンと同じ向きに、前記壁部から延設されたガイドアームと、
前記半挿入検知ピンと同じ向きに、前記壁部から延設された可撓性を有するロックアームと、
を有し、
前記メスハウジングは、
前記メスハウジングの第１の外側面と該第１の外側面とは反対側の第２の外側面とが、前記ガイドアームと前記ロックアームとの間に挟まれて、前記第１の外側面と前記第２の外側面とが対向する方向である左右方向への前記メスハウジングの移動が規制された状態で、前記オスハウジングと前記メスハウジングとが嵌合される際に、前記嵌合方向及び前記左右方向のそれぞれに垂直な方向である上下方向への前記ガイドアームの移動を規制して前記嵌合方向への前記ガイドアームの移動を案内する、前記第１の外側面から突設された第１のガイドレールと、
前記オスハウジングと前記メスハウジングとが中途まで嵌合した状態である仮嵌合状態において前記ロックアームに係止されて前記嵌合方向への前記オスハウジングの移動を規制する、前記第２の外側面から突設された仮係止突起と、
可撓性を有して前記メス端子を抜け止め可能に形成され、前記メス端子が前記端子収容室に半挿入された状態において、前記オスハウジングと前記メスハウジングとが完全に嵌合される場合に、前記半挿入検知ピンに当接するランスと、
前記仮嵌合状態において、前記半挿入検知ピンの少なくとも一部を収容するフード部と、
を有する、
こと。
（２）上記（１）の構成のコネクタであって、
前記仮嵌合状態においては、前記オス端子の一部が、前記フード部に収容される、
こと。
（３）上記（１）又は（２）の構成のコネクタであって、
前記メスハウジングは、前記オスハウジングと前記メスハウジングとが完全に嵌合した状態である本嵌合状態において前記ロックアームに係止されて前記嵌合方向への前記オスハウジングの移動を規制する、前記第２の外側面から突設された本係止突起を更に有し、
前記本嵌合状態においては、前記半挿入検知ピンが、前記ランスの変形を規制して前記端子収容室への前記メス端子の挿抜を規制し、
前記本係止突起は、前記メス端子を前記端子収容室に正規に挿入する際に前記メスハウジングに前記嵌合方向に作用する力が、前記オスハウジングと前記メスハウジングとを前記仮嵌合状態から前記本嵌合状態に遷移させる際に前記オスハウジングに前記嵌合方向に作用する力よりも小さくなるように傾斜した傾斜面を側面に有する、
こと。
（４）上記（１）〜（３）のいずれか１つの構成のコネクタであって、
前記第１のガイドレールは、該第１のガイドレールから前記上下方向に延びるように延設された規制部を有し、
前記ガイドアームは、前記嵌合時において前記規制部と前記第１の外側面との間に位置する当接部を有し、
前記オスハウジングと前記メスハウジングとが嵌合した状態においては、前記当接部が前記規制部に当接することによって、前記ガイドアームの前記第１の外側面から離間する方向への移動が規制される、
こと。
（５）上記（１）〜（４）のいずれか１つの構成のコネクタであって、
前記ロックアームは、前記上下方向に離間して形成される、前記壁部から前記嵌合方向に延びる複数の基部と、該基部の先端それぞれに連結され、前記仮係止突起に係止される係止面を画成する接続部と、を有する、
こと。
（６）上記（１）〜（５）のいずれか１つの構成のコネクタであって、
前記仮係止突起は、第１の仮係止突起と、該第１の仮係止突起に対して上下方向に並んで形成される第２の仮係止突起と、を有する、
こと。
（７）上記（１）〜（６）のいずれか１つの構成のコネクタであって、
前記メスハウジングは、前記上下方向への前記ロックアームの移動を規制して前記嵌合方向への前記ロックアームの移動を案内する、前記第２の外側面から突設された第２のガイドレールを更に有する、
こと。
【０００９】
上記（１）の構成のコネクタでは、メスハウジングは、第１の外側面と第２の外側面とがオスハウジングのガイドアームとロックアームとの間に挟まれて左右方向への移動が規制され、第１のガイドレールがガイドアームを案内することにより上下方向への移動が規制された状態で、嵌合方向に案内されてオスハウジングに相対的に接近し、仮係止突起がロックアームに係止されることにより嵌合方向への移動が規制される。これにより、筒状に形成されたメスハウジングと平板状の壁部を有するオスハウジングとが上下左右方向への移動が規制された状態で嵌合方向へ移動して接近し、互いに固定されて嵌合される。したがって、従来のコネクタのように、オスハウジングに、嵌合時においてメスハウジングの外側面の更に外側に配置されるフード部を形成する必要がない。
また、このようにオスハウジングにフード部を形成しない場合には、オスハウジングの壁部から突出した半挿入検知ピンが外部に対して露出しているため、例えば搬送時に当該半挿入検知ピンが他の部品等に接触して破損してしまう可能性がある。これに対して、上記（１）の構成のコネクタでは、仮嵌合状態においては、半挿入検知ピンの少なくとも一部がメスハウジングのフード部に収容されることにより、半挿入検知ピンがメスハウジングにより保護される。このため、オスハウジングとメスハウジングとを仮嵌合状態として運搬することにより、半挿入検知ピンが破損することを防止できる。
上記（２）の構成のコネクタでは、仮嵌合状態においては、オスハウジングの壁部から突出しているために破損し易いオス端子についても、半挿入検知ピンと同様に、メスハウジングにより保護される。このため、オスハウジングとメスハウジングとを仮嵌合状態として運搬することにより、オス端子が破損することを防止できる。
上記（３）の構成のコネクタでは、メス端子を端子収容室に正規に挿入する際にメスハウジングに作用する力が、オスハウジングとメスハウジングとを仮嵌合状態から本嵌合状態に遷移させる際にオスハウジングに作用する力よりも小さいため、仮嵌合状態においてメス端子を正規に挿入する場合に、両ハウジングが本嵌合状態となってしまうことを防止できる。このため、メス端子の挿入作業中に、両ハウジングが本嵌合状態となってしまい、端子収容室へのメス端子の挿抜が規制されることが防止される。
上記（４）の構成のコネクタでは、メスハウジングの第１の外側面から離間する方向へのガイドアームの移動が規制されているため、例えばオスハウジングに左右方向への外力が作用して、ロックアームが左右方向に撓み変形し、ガイドアームを含むオスハウジングがメスハウジングに対して左右方向に移動しようとた場合に、当該移動が規制される。これにより、左右方向への外力に起因するガタつきが抑制される。
また、上記（４）のコネクタでは、第１のガイドレールから上下方向に延びるように延設された規制部が、嵌合状態においてガイドアームの当接部に当接することにより、ガイドアームのメスハウジングの第１の外側面から離間する方向への移動が規制されている。このため、第１のガイドレールの左右方向の幅を増加させることなく、当該規制が実現される。
上記（５）の構成のコネクタでは、嵌合状態においては、複数の基部と該基部を連結する接続部とに囲まれるように、仮係止突起が係止面に係止される。このため、ロックアームを仮係止突起に対してより確実に係止させることができる。
上記（６）の構成のコネクタでは、仮係止突起が、第１の仮係止突起と該第１の仮係止突起に対して上下方向に並んで形成される第２の仮係止突起とを有しているため、第１の仮係止突起と第２の仮係止突起との間には、上下方向において間隙が形成されている。これにより、当該間隙が形成されていない場合と比較して、本係止状態に移行するためにロックアームが仮係止突起を乗り越える際に、ロックアームと仮係止突起との間に生じる摩擦力が低減される。このため、コネクタを仮係止状態にするために必要な力を小さくできる。
上記（７）の構成のコネクタでは、第２のガイドレールによってロックアームの上下方向への移動が規制されるため、メスハウジングの上下方向への移動が更に規制され、上下方向への外力に起因するガタつきが抑制される。
【発明の効果】
【００１０】
本発明に係るコネクタによれば、小型化が可能なコネクタを提供できる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】図１は、本実施形態のコネクタ１の嵌合前の状態を示す斜視図であり、図１（ａ）は前方右側から視た斜視図であり、図１（ｂ）は前方左側から視た斜視図である。
【図２】図２は、仮嵌合状態におけるコネクタ１を示す斜視図である。
【図３】図３は、本嵌合状態におけるコネクタ１を示す斜視図である。
【図４】図４は、コネクタ１を右側から視た右側面図であり、図４（ａ）は仮嵌合状態におけるコネクタ１を示す右側面図であり、図４（ｂ）は本嵌合状態におけるコネクタ１を示す右側面図である。
【図５】図５は、コネクタ１を左側から視た左側面図であり、図５（ａ）は仮嵌合状態におけるコネクタ１を示す左側面図であり、図５（ｂ）は本嵌合状態におけるコネクタ１を示す左側面図である。
【図６】図６は、図４のＡ−Ａ線矢視断面図である。
【図７】図７は、図６におけるＢ部を拡大して示す一部拡大断面図である。
【図８】図８は、図６におけるＣ部を拡大して示す一部拡大断面図である。
【図９】図９は、仮嵌合状態におけるコネクタ１を前方から視た図である。
【図１０】図１０（ａ）は、図９におけるＣ―Ｃ線矢視断面図であり、図１０（ｂ）は、図１０（ａ）の一部拡大断面図である。
【図１１】図１１（ａ）は、図９と同一の位置における、本嵌合状態におけるコネクタ１の断面図である。
【図１２】図１２は、図５（ａ）のＢ−Ｂ線矢視断面図であり、仮嵌合状態におけるコネクタ１の水平断面図である。
【図１３】図１３は、図１２におけるＤ部を拡大して示す一部拡大断面図であり、図１３（ａ）は仮嵌合状態におけるロックアーム１５と仮係止突起３３との関係を示す一部拡大断面図であり、図１３（ｂ）は仮嵌合状態から本嵌合状態に遷移しようとする時点におけるロックアーム１５と仮係止突起３３との関係を示す一部拡大断面図である。
【図１４】図１４は、従来のコネクタを示す縦断面図である。
【発明を実施するための形態】
【００１３】
本発明に係るコネクタの具体的な実施形態について、各図を参照しながら以下に説明する。図１〜図１３は実施形態に係るコネクタ１を示している。以下、本明細書中では、各図中に矢印で示すように前側、後側、上側、下側、左側、右側を規定して説明する。
【００１４】
コネクタ１は、図１に示すように、外部の接地回路と接続される導電金属製のジョイント端子（オス端子）４０を保持する樹脂製のオスハウジング１０と、オスハウジング１０と嵌合可能である角筒状に形成され、ジョイント端子４０と電気的に接続される複数のメス端子４５を内部に収容して保持する端子収容室３５を有する樹脂製のメスハウジング２０と、を備えている。
【００１５】
コネクタ１では、オスハウジング１０とメスハウジング２０とが嵌合方向である前後方向において相対的に接近することにより、オスハウジング１０とメスハウジング２０とが嵌合されて嵌合状態とされる。この嵌合過程においては、オスハウジング１０とメスハウジング２０とが図２に示すように中途位置まで嵌合されて仮嵌合状態とされた後、オスハウジング１０とメスハウジング２０とが図３に示すように嵌合完了位置まで嵌合されて本嵌合状態とされる。仮嵌合状態においては、ジョイント端子４０とメス端子４５とは接触せず、接続されない。一方、本嵌合状態においては、ジョイント端子４０とメス端子４５とが接触して電気的に接続される。このため、一旦仮係止状態としてオスハウジング１０とメスハウジング２０との位置合わせをした後、両ハウジングを嵌合させて本係止状態とすることにより、確実に嵌合作業を実施することができる。
【００１６】
まず、コネクタ１が備える各構成について説明する。
【００１７】
オスハウジング１０は、メスハウジング２０の後側開口の縁形状に対応する平板状に形成された壁部１１と、前後方向に延びるように、後述する壁部１１の装着部１１ａから延設された複数の半挿入検知ピン１２と、壁部１１の右側側面から前後方向（前向き）に延びるように延設されたガイドアーム１３と、前後方向におけるガイドアーム１３と同じ向き（前向き）に延びるように壁部１１の左側側面から延設された可撓性を有するロックアーム１５と、を有している。尚、ガイドアーム１３及びロックアーム１５は、壁部１１の左右側面ではなく前面から延設されていてもよい。
【００１８】
壁部１１は、左右方向に幅広な矩形状に形成されている。壁部１１の前面からは、後述するパッキン（防水部材）５０が装着される装着部１１ａ（図１０参照。）が、メスハウジング２０の後側開口の内縁形状に対応した形状で、前方に向けて延びるように突設されている。また、壁部１１には、インサート成形によってジョイント端子４０が一体成形（保持）されている。ジョイント端子４０は、メス端子４５が有する接触バネ片４７と接触する、前後方向に延びる複数の接触部４１と、当該複数の接触部４１の先端それぞれを連結する連結部４３と、該連結部４３から延設されて外部の接地回路と接続される接地部４４と、を有している。そして、ジョイント端子４０は、接触部４１の長手方向が前後方向に沿うように、壁部１１に保持されている。尚、ジョイント端子４０は、インサート成形以外の公知の手法、例えば圧入等により壁部１１に対して保持されていてもよい。
【００１９】
半挿入検知ピン１２は、前後方向に延びるように装着部１１ａから延設されている。半挿入検知ピン１２は、ジョイント端子４０の接触部４１と同数だけ設けられ、図１及び図１０に示すように、装着部１１ａにおける接触部４１の導出部分の下方から、前方に向けて延設されている。半挿入検知ピン１２は、図１１に示すように、嵌合状態においては、後述するメスハウジング２０内部の撓み空間３７に収容される。
【００２０】
ガイドアーム１３は、上下方向に離間して形成される、壁部１１の右側側面から前後方向（前向き）に延びる２つの基部１３ａ，１３ａと、該基部１３ａ，１３ａの先端それぞれに連結される接続部１３ｂと、を有しており、右方から視た場合に底部が前方を向いた、角ばったＵ字状に形成されている。また、図７に示すように、ガイドアーム１３は、上下方向に延びる当接部１４を有しており、ガイドアーム１３の前方から視た断面は、メスハウジング２０から離れるにつれて幅狭になる台形状に形成されている。
【００２１】
ロックアーム１５は、上下方向に離間して形成される、壁部１１の左側側面から前後方向（前向き）に延びる２つの基部１５ａ，１５ａと、該基部１５ａ，１５ａの先端それぞれに連結され、後述するメスハウジング２０の係止突起２９に係止される係止面１７を画成する接続部１５ｂと、を有しており、左方から視た場合に底部が前方を向いた、角ばったＵ字状に形成されている。後述するように、嵌合状態においては、複数の基部１５ａ，１５ａと接続部１５ｂとに囲まれるように、係止突起２９が係止面１７に係止される。また、図８に示すように、ロックアーム１５の前方から視た断面は、矩形状に形成されている。
【００２２】
メスハウジング２０は、可撓性を有して端子収容室３５に収容されたメス端子４５を抜け止めするランス３６と、右側外側面２１（第１の外側面）から前後方向に延びるように突設された第１のガイドレール２５と、左側外側面２３（第２の外側面）から前後方向に延びるように突設された第２のガイドレール２７と、左側外側面２３から突設された係止突起２９と、仮嵌合状態において半挿入検知ピン１２の一部を収容するフード部３８と、を有している。また、角筒状に形成されたメスハウジング２０からは、保持部２２が前方に向けて延設されている。メスハウジング２０及び保持部２２の内部には、メス端子４５を収容する端子収容室３５が画成されている。
【００２３】
ランス３６は、図１０に示すように、端子収容室３５を画成する内壁面から延設されて片持ち状に形成され、端子収容室３５にメス端子４５が挿入されると、該メス端子４５により下方に押圧されてメスハウジング２０内部に画成された撓み空間３７に向けて（下向きに）撓み変形し、メス端子４５の挿入を許容する。その後、端子収容室３５にメス端子４５が完全に挿入されると、撓み空間３７から退避する方向に（上向きに）変形して元の形状に復帰し、メス端子４５を抜け止めする。即ち、ランス３６は、メス端子４５が端子収容室３５に半挿入された状態においては、撓み空間３７の内部に位置し、メス端子４５が端子収容室３５に正規に（完全に）挿入された状態においては、撓み空間３７の外部に位置する。
【００２４】
ランス３６は、図１１に示すように、本嵌合状態においては、撓み空間３７に位置する半挿入検知ピン１２によって撓み変形が規制される。このため、図１１に示すように、端子収容室３５にメス端子４５が正規に挿入された状態において、オスハウジング１０とメスハウジング２０とが本嵌合状態とされた場合には、ランス３６の変形が半挿入検知ピン１２により規制されて、端子収容室３５へのメス端子４５の挿抜が規制される。
【００２５】
また、メス端子４５が端子収容室３５に半挿入された状態において、オスハウジング１０とメスハウジング２０とが嵌合される場合には、ランス３６が撓み空間３７の内部に位置して、当該ランス３６に半挿入検知ピン１２が当接する。これにより、オスハウジング１０とメスハウジング２０とを本嵌合状態とする際に、作業者は、メス端子４５が端子収容室３５に正規に挿入されていない状態であることを認識することができる。
【００２６】
第１のガイドレール２５は、右側外側面２１の上端及び下端それぞれに設けられ、右側外側面２１の前端から後端に向けて前後方向に延びる２つの突条である。第１のガイドレール２５は、図７に示すように、第１のガイドレール２５の上下方向における側面から上下方向に延びるように延設された規制部２６を有している。規制部２６は、上下方向に延びていることにより、上下方向に延びる規制面２６ａを形成している。本実施形態に係る規制面２６ａは、第１のガイドレール２５のうちの左右方向に延びる部分から上下方向に遠ざかるにつれて右側外側面２１から離れるように傾斜している。これにより、規制部２６と右側外側面２１との間には、前後方向から視て略三角形状の内縁形状を有する間隙が形成されている。嵌合状態においては、当該間隙にガイドアーム１３の当接部１４が入り込む。即ち、嵌合状態においては、規制部２６と右側外側面２１との間に当接部１４が位置する。
【００２７】
第２のガイドレール２７は、左側外側面２３の上端及び下端それぞれに設けられ、左側外側面２３の前端から後端に向けて前後方向に延びる２つの突条である。
【００２８】
係止突起２９は、左側外側面２３の上下方向中央に突設された本係止突起３１と、左側外側面２３における本係止突起３１が形成された位置よりも嵌合状態におけるオスハウジング１０側（即ち、後側。）の位置から左側外側面２３に突設された仮係止突起３３と、を有している。オスハウジング１０とメスハウジング２０とが嵌合される際には、ロックアーム１５が仮係止突起３３に係止されてオスハウジング１０とメスハウジング２０とが仮係止された後、ロックアーム１５が本係止突起３１に係止されてオスハウジング１０とメスハウジング２０とが本係止される。
【００２９】
本係止突起３１は、前方に向けて左側外側面２３からの突出高さが高くなるように傾斜した傾斜面３２を側面に有し、前後方向に延びるように形成されている。
【００３０】
仮係止突起３３は、図５に示すように、第１の仮係止突起３３ａと、第１の仮係止突起３３ａに対して上下方向に並んで形成される第２の仮係止突起３３ｂと、を有している。第１の仮係止突起３３ａ及び第２の仮係止突起３３ｂは、本係止突起３１を挟んで上下方向に対称な位置に形成されている。また、第１の仮係止突起３３ａ及び第２の仮係止突起３３ｂは、図５及び図１３に示すように、前方に向けて左側外側面２３からの突出高さが高くなるように傾斜した傾斜面３４ａ，３４ｂを有し、前後方向に延びるように形成されている。
【００３１】
本係止突起３１の後端から仮係止突起３３の前端までの前後方向における長さは、図５（ａ）及び図１３に示すように、ロックアーム１５の接続部１５ｂの前後方向の幅の長さと略等しく設定されている。これにより、仮嵌合状態におけるロックアーム１５の前後方向への移動が規制され、仮嵌合状態における前後方向へのガタつきが抑制される。
【００３２】
第１の仮係止突起３３ａは、図８に示すように、その上端がロックアーム１５の基部１５ａ，１５ａのうちの上側の基部１５ａの下端に当接するように設けられている。そして、第２の仮係止突起３３ｂは、その下端がロックアーム１５の基部１５ａ，１５ａのうちの下側の基部１５ａの上端に当接するように設けられている。これにより、仮嵌合状態及び本嵌合状態におけるロックアーム１５の上下方向への移動が規制され、仮嵌合状態及び本嵌合状態におけるガタつきが抑制される。
【００３３】
フード部３８は、筒状に形成されたメスハウジング２０の一部であり、短筒状に形成されてメスハウジング２０の後側開口を画成している。フード部３８は、後述するように、仮嵌合状態においては、ジョイント端子４０の接触部４１の一部及び半挿入検知ピン１２の一部を収容する。また、フード部３８は、本嵌合状態においては、装着部１１ａとの間でパッキン５０を押圧し、オスハウジング１０とメスハウジング２０との間の防水を図るために用いられる。
【００３４】
次に、オスハウジング１０とメスハウジング２０との嵌合過程について説明する。
【００３５】
嵌合過程においては、図２及び図６に示すように、メスハウジング２０の右側外側面２１と該右側外側面２１とは反対側の左側外側面２３とが、オスハウジング１０のガイドアーム１３とロックアーム１５との間に挟まれた状態で、オスハウジング１０とメスハウジング２０とが相対的に接近する。即ち、ガイドアーム１３からロックアーム１５までの左右方向における幅の長さは、メスハウジング２０の形状に対応して設定されている。より具体的には、右側外側面２１から左側外側面２３までの距離と略等しく設定されている。これにより、メスハウジング２０の左右方向への移動が規制された状態で、オスハウジング１０とメスハウジング２０とが相対的に接近する。
【００３６】
また、嵌合過程においては、図４及び図７に示すように、第１のガイドレール２５が、ガイドアーム１３の上下方向への移動を規制してガイドアーム１３の前後方向への移動を案内する。
【００３７】
このとき、前述したように、ガイドアーム１３は当接部１４を有して台形状に形成されており、当接部１４は第１のガイドレール２５の規制部２６とメスハウジング２０の右側外側面２１との間に入り込む。このため、例えばオスハウジング１０に左右方向への外力が作用して、ロックアーム１５が左右方向に撓み変形し、ガイドアーム１３が右側外側面２１から離間する方向へ（右方へ）移動しようとした場合に（即ち、ガイドアーム１３を含むオスハウジング１０がメスハウジング２０に対して左右方向に移動しようとした場合に。）、当接部１４が規制部２６の規制面２６ａに当接する。これにより、ガイドアーム１３には左向きの力が作用し、ガイドアーム１３の右方への移動が規制される。
【００３８】
さらに、嵌合過程においては、図５及び図８に示すように、第２のガイドレール２７が、ロックアーム１５の上下方向への移動を規制してロックアーム１５の前後方向への移動を案内する。
【００３９】
以上説明した嵌合過程におけるオスハウジング１０とメスハウジング２０との上下左右方向への相対的な移動の規制は、嵌合完了後においても同様に適用されており、嵌合完了後においてもオスハウジング１０とメスハウジング２０との各方向への相対的な移動は規制されている。
【００４０】
上述したように上下左右方向への移動が規制された状態で、オスハウジング１０とメスハウジング２０とが図２に示す中途位置まで相対的に接近すると、ロックアーム１５が、仮係止突起３３の傾斜面３４ａ，３４ｂに乗り上げるように撓み変形し、仮係止突起３３を乗り越える。これにより、図５（ａ）及び図１３に示すように、ロックアーム１５の係止面１７が仮係止突起３３に係止され、ロックアーム１５（オスハウジング１０）の後方への移動が規制される。これにより、オスハウジング１０とメスハウジング２０とが仮嵌合状態とされる。
【００４１】
その後、オスハウジング１０とメスハウジング２０とが図３に示す嵌合完了位置まで更に相対的に接近すると、ロックアーム１５が、図１３（ｂ）に二点鎖線で示すように、本係止突起３１の傾斜面３２に乗り上げるように撓み変形し、本係止突起３１を乗り越える。これにより、図５（ｂ）に示すように、ロックアーム１５の係止面１７が本係止突起３１に係止され、ロックアーム１５（オスハウジング１０）の後方への移動が規制される。これにより、オスハウジング１０とメスハウジング２０とが本嵌合状態とされる。
【００４２】
この本嵌合状態においては、図５（ｂ）及び図１１に示すように、壁部１１の前面がメスハウジング２０の後側開口の縁部に当接し、装着部１１ａの前面が、メスハウジング２０の後側開口を画成するフード部３８の底面に当接することにより、オスハウジング１０の前方への移動が規制される。即ち、本嵌合状態においては、オスハウジング１０のメスハウジング２０に対する前後方向への移動が規制されている。また、本嵌合状態においては、オスハウジング１０とメスハウジング２０との間の隙間を埋めてハウジング内部の防水を図るためのパッキン５０が、オスハウジング１０の装着部とフード部３８との間で押圧されて変形し、両部材に密着する。
【００４３】
以上説明したように各部材が連関することにより、オスハウジング１０とメスハウジング２０とが嵌合される。
【００４４】
次に、メスハウジング２０に対するメス端子４５の挿入過程と、オスハウジング１０とメスハウジング２０との嵌合過程と、の関係について説明し、本実施形態に係るコネクタ１の組付け手順について説明する。以下、組付け手順の説明に際して、組付けに係る作業を作業者が実施する態様を説明するが、本発明の実施態様はこれに限られない。例えば、組付けに係る作業の一部又は全てが機械装置により為される態様であってもよい。
【００４５】
まず、作業者は、メス端子４５が挿入されていないメスハウジング２０に対して、パッキン５０が装着部１１ａに装着されたオスハウジング１０を中途位置まで嵌合させ、オスハウジング１０とメスハウジング２０とを仮嵌合状態とする。
【００４６】
この仮嵌合状態においては、図１０に示すように、壁部１１から延びるジョイント端子４０の接触部４１の先端側における一部は、メスハウジング２０のフード部３８により周囲が覆われて収容されている。また。図１０（ｂ）に示すように、接触部４１の先端部は、端子収容室３５を画成する後端壁に形成された端子挿入開口部３５ａの内部に位置し、端子収容室３５の内部には進入していない。また、壁部１１（装着部１１ａ）から延びる半挿入検知ピン１２の先端側における一部も、フード部３８により周囲が覆われて収容されている。この仮嵌合状態においては、半挿入検知ピン１２の先端部は、撓み空間３７と連通するようにメスハウジング２０内部に画成された検知ピン挿入部３９の内部に位置し、前述したように、撓み空間３７には進入していない。
【００４７】
その後、作業者は、仮嵌合状態にあるメスハウジング２０の端子収容室３５に対して、前方からメス端子４５を挿入する。この仮嵌合状態においては、半挿入検知ピン１２が撓み空間３７に位置していないため、作業者はメス端子４５を端子収容室３５に完全に挿入することができ、メス端子４５がランス３６により抜け止めされる。また、仮嵌合状態においては、上述したように、接触部４１が端子収容室３５の内部に進入していないため、端子収容室３５に挿入されたメス端子４５とジョイント端子４０とは接続されない。
【００４８】
このように端子収容室３５にメス端子４５を完全に挿入する際には、ランス３６を一旦撓み空間３７に向けて撓み変形させる必要があり、メスハウジング２０には、後方下向き（図１０中における右下向き。）の力であるメス端子挿入力が作用する。即ち、メスハウジング２０には、後向きの成分を有する力が作用する。そして、このメス端子４５を挿入する作業を、作業者がオスハウジング１０を把持した状態で実施した場合には、当該メス端子挿入力の反作用により、オスハウジング１０には前向きの力が作用する。
【００４９】
ところで、本実施形態に係るコネクタ１では、前述したように、図１３（ｂ）に示すように、本係止突起３１には傾斜面３２が形成されている。このため、仮嵌合状態においてロックアーム１５（オスハウジング１０）に前向きの力が作用してロックアーム１５が前方に変位する場合には、図１３（ｂ）に二点鎖線で示すように、ロックアーム１５が本係止突起３１の傾斜面３２に乗り上げるように撓み変形する。これにより、ロックアーム１５（オスハウジング１０）には、図中に矢印で示すように、後方下向きの力であるロック反力が作用して、当該撓み変形が抑制される。即ち、ロックアーム１５には、後向きの成分を有する力が作用する。ここで、本実施形態に係るコネクタ１では、メス端子４５を端子収容室３５に正規に挿入する際にメスハウジング２０に前後方向に作用する力（即ち、メス端子挿入力。）が、オスハウジング１０とメスハウジング２０とを仮嵌合状態から本嵌合状態に遷移させる際にメスハウジング２０に前後方向に作用する力（即ち、ロック反力。）よりも小さくなるように、傾斜面３２の角度が設定されている。このため、作業者が、仮嵌合状態において、オスハウジング１０を把持した状態で、メス端子４５を端子収容室３５に挿入した場合であっても、当該挿入作業により発生したメス端子挿入力によってロックアーム１５が本係止突起３１の傾斜面３２を乗り越えてしまうことがない。即ち、メス端子４５の挿入作業によってオスハウジング１０とメスハウジング２０とが仮嵌合状態から本嵌合状態に遷移してしまうことが防止される。このため、メス端子４５の挿入作業中に両ハウジングが本嵌合状態となってしまい、ランス３６の変形が半挿入検知ピン１２により規制されて、端子収容室３５へのメス端子４５の挿抜が規制されてしまうことを防止できる。
【００５０】
その後、作業者は、端子収容室３５にメス端子４５が正規に挿入された状態で、オスハウジング１０に上記ロック反力よりも大きな力を作用させ、ロックアーム１５に本係止突起３１を乗り越えさせて、オスハウジング１０とメスハウジング２０とを本嵌合状態とする。これにより、図１１に示すように、ジョイント端子４０の接触部４１が端子収容室３５の内部に進入して、メス端子４５の接触バネ片４７に弾性接触し、ジョイント端子４０とメス端子４５とが電気的に接続される。また、このとき、半挿入検知ピン１２が撓み空間３７に進入して、ランス３６の撓み変形が規制される。
【００５１】
このように、本実施形態に係るコネクタ１では、仮嵌合状態にあるメスハウジング２０の端子収容室３５にメス端子４５を挿入した後、メス端子４５が挿入されたメスハウジング２０とオスハウジング１０とが本嵌合位置まで嵌合され、ジョイント端子４０の接触部４１とメス端子４５の接触バネ片４７とが接触する。これにより、メス端子４５の挿入により発生するメス端子挿入力と、接触部４１により接触バネ片４７を撓ませることにより発生する力であるオス端子挿入力と、が異なる作業工程において作用する。このため、従来のコネクタのように、本嵌合状態にあるメスハウジング２０に対してメス端子４５が挿入される構造であり、メス端子挿入力とオス端子挿入力とが同時に作用する場合と比較して、本実施形態に係るコネクタ１では、作業者は従来よりも小さい力により組付け作業を実施することができる。
【００５２】
また、本実施形態に係るコネクタ１では、オスハウジング１０とメスハウジング２０とを一旦仮嵌合状態として、ジョイント端子４０の接触部４１の先端部を端子挿入開口部３５ａの内部に位置決めし、半挿入検知ピン１２の先端部を検知ピン挿入部３９の内部に位置決めした後、オスハウジング１０とメスハウジング２０とを本嵌合状態とするため、両ハウジングの嵌合作業を確実に実施することができる。
【００５３】
以上説明した組付け手順により、各部材が組付けられ、本実施形態に係るコネクタ１が得られる。
【００５４】
以下では、本実施形態に係るコネクタ１の作用及び効果を説明する。
【００５５】
本実施形態に係るコネクタ１は、ジョイント端子（オス端子）４０を保持するオスハウジング１０と、オスハウジング１０と嵌合可能である角筒状に形成され、ジョイント端子４０と電気的に接続されるメス端子４５を収容して保持する端子収容室３５を有するメスハウジング２０と、を備えている。オスハウジング１０は、オスハウジング１０とメスハウジング２０とが嵌合される方向である嵌合方向（前後方向）に長手方向が沿うようにジョイント端子４０を保持する、平板状に形成された壁部１１と、前後方向におけるジョイント端子４０と同じ向き（前向き）に、壁部１１から延設された半挿入検知ピン１２と、嵌合方向における半挿入検知ピン１２と同じ向き、壁部１１から延設されたガイドアーム１３と、嵌合方向における半挿入検知ピン１２と同じ向きに、壁部１１から延設された可撓性を有するロックアーム１５と、を有している。メスハウジング２０は、メスハウジング２０の右側外側面（第１の外側面）２１と該右側外側面２１とは反対側の左側外側面（第２の外側面）２３とが、ガイドアーム１３とロックアーム１５との間に挟まれて、右側外側面２１と左側外側面２３とが対向する方向である左右方向へのメスハウジング２０の移動が規制された状態で、オスハウジング１０とメスハウジング２０とが嵌合される際に、嵌合方向及び左右方向のそれぞれに垂直な方向である上下方向へのガイドアーム１３の移動を規制してガイドアーム１３の嵌合方向への移動を案内する、右側外側面２１から突設された第１のガイドレール２５と、オスハウジング１０とメスハウジング２０とが中途まで嵌合した状態である仮嵌合状態においてロックアーム１５に係止されて嵌合方向へのオスハウジング１０の移動を規制する、左側外側面から突設された仮係止突起３３と、可撓性を有してメス端子４５を抜け止め可能に形成され、メス端子４５が端子収容室３５に半挿入された状態において、オスハウジング１０とメスハウジング２０とが完全に嵌合される場合に、半挿入検知ピン１２に当接するランス３６と、仮嵌合状態において、半挿入検知ピン１２の一部を収容するフード部３８と、を有している。
コネクタ１では、メスハウジング２０は、右側外側面２１と左側外側面２３とがオスハウジング１０のガイドアーム１３とロックアーム１５との間に挟まれて左右方向への移動が規制され、第１のガイドレール２５がガイドアーム１３を案内することにより上下方向への移動が規制された状態で、嵌合方向に案内されてオスハウジング１０に相対的に接近し、係止突起２９がロックアーム１５に係止されることにより嵌合方向への移動が規制される。これにより、角筒状に形成されたメスハウジング２０と平板状の壁部１１を有するオスハウジング１０とが上下左右方向への移動が規制された状態で嵌合方向へ移動して接近し、互いに固定されて嵌合される。したがって、従来のコネクタのように、オスハウジング１０に、嵌合時においてメスハウジング２０の外側面の更に外側に配置されるフード部を形成する必要がない。
この結果、本実施形態に係るコネクタ１によれば、小型化が可能なコネクタを提供できる。
【００５６】
また、このようにオスハウジング１０にフード部を形成しない場合には、オスハウジング１０の壁部１１から突出した半挿入検知ピン１２が外部に対して露出しているため、例えば搬送時に半挿入検知ピン１２が他の部品等に接触して破損してしまう虞がある。これに対して、本実施形態に係るコネクタ１では、仮嵌合状態においては、半挿入検知ピン１２の一部がフード部３８に収容されることにより、半挿入検知ピン１２がメスハウジング２０により保護されている。このため、オスハウジング１０とメスハウジング２０とを仮嵌合状態として運搬することにより、半挿入検知ピン１２が破損することを防止できる。
この結果、本実施形態に係るコネクタ１によれば、小型化を実現しつつ、オスハウジング１０から突出した半挿入検知ピン１２の破損を防止可能なコネクタを提供できる。
【００５７】
また、本実施形態に係るコネクタ１では、仮嵌合状態においては、ジョイント端子４０の一部が、フード部３８に収容されている。
これにより、仮嵌合状態においては、オスハウジング１０の壁部１１から突出しているために破損し易いジョイント端子４０の接触部４１についても、半挿入検知ピン１２と同様に、メスハウジング２０により保護されている。このため、オスハウジング１０とメスハウジング２０とを仮嵌合状態として運搬することにより、接触部４１が破損することを防止できる。
【００５８】
また、本実施形態に係るコネクタ１では、メスハウジング２０は、オスハウジング１０とメスハウジング２０とが完全に嵌合した状態である本嵌合状態においてロックアーム１５に係止されて嵌合方向へのオスハウジング１０の移動を規制する、左側外側面２３から突設された本係止突起３１を更に有し、本嵌合状態においては、半挿入検知ピン１２が、ランス３６の変形を規制して端子収容室３５へのメス端子４５の挿抜を規制する。そして、本係止突起３１は、メス端子４５を端子収容室３５に正規に挿入する際にメスハウジング２０に嵌合方向に作用する力（メス端子挿入力）が、オスハウジング１０とメスハウジング２０とを仮嵌合状態から本嵌合状態に遷移させる際にオスハウジング１０に嵌合方向に作用する力（ロック反力）よりも小さくなるように傾斜した傾斜面３２を側面に有している。
これにより、仮嵌合状態においてメス端子４５を端子収容室３５に正規に挿入する場合に、オスハウジング１０とメスハウジング２０とが本嵌合状態となってしまうことを防止できる。このため、メス端子４５の挿入作業中に、両ハウジングが本嵌合状態となってしまい、端子収容室３５へのメス端子４５の挿抜が規制されてしまうことが防止される。
【００５９】
また、本実施形態に係るコネクタ１では、第１のガイドレール２５は、第１のガイドレール２５から上下方向に延びるように延設された規制部２６を有し、ガイドアーム１３は、嵌合時において規制部２６と右側外側面２１との間に位置する当接部１４を有し、嵌合状態においては、当接部１４が規制部２６に当接することによって、ガイドアーム１３の右側外側面２１から離間する方向（右向き）への移動が規制される。
これにより、ガイドアーム１３のメスハウジング２０の右側外側面２１から離間する方向への移動が規制されているため、例えばオスハウジング１０に左右方向への外力が作用して、ロックアーム１５が左右方向に撓み変形し、ガイドアーム１３を含むオスハウジング１０がメスハウジング２０に対して左右方向に移動しようとた場合に、当該移動が規制される。これにより、左右方向への外力に起因するガタつきが抑制される。
また、第１のガイドレール２５から上下方向に延びるように延設された規制部２６が、嵌合状態においてガイドアーム１３の当接部１４に当接することにより、ガイドアーム１３のメスハウジング２０の右側外側面２１から離間する方向への移動が規制されている。この規制部２６は、第１のガイドレール２５から上下方向に延びるように延設されているため、第１のガイドレール２５の厚みを増加させることがない。このため、第１のガイドレール２５（メスハウジング２０）の左右方向の幅を増加させることなく、ガイドアーム１３の移動の規制が実現される。
【００６０】
また、本実施形態に係るコネクタ１では、ロックアーム１５は、上下方向に離間して形成される、壁部１１から嵌合方向に延びる複数の基部１５ａ，１５ａと、該基部１５ａ，１５ａの先端にそれぞれ連結され、係止突起２９に係止される係止面１７を画成する接続部１５ｂと、を有している。
これにより、嵌合状態においては、複数の基部１５ａ，１５ａと接続部１５ｂとに囲まれるように係止突起２９が係止面１７に係止される。このため、ロックアーム１５を係止突起２９に、より確実に係止させることができる。
【００６１】
また、本実施形態に係るコネクタ１では、仮係止突起３３は、第１の仮係止突起３３ａと、該第１の仮係止突起３３ａに対して上下方向に並んで形成される第２の仮係止突起３３ｂと、を有している。
これにより、仮係止突起３３が、第１の仮係止突起３３ａと第２の仮係止突起３３ｂとを有しているため、第１の仮係止突起３３ａと第２の仮係止突起３３ｂとの間には、上下方向において間隙が形成されている。これにより、当該間隙が形成されていない場合と比較して、本係止状態に移行するためにロックアーム１５が仮係止突起３３を乗り越える際に、ロックアーム１５と仮係止突起３３との間に生じる摩擦力が低減される。このため、コネクタを仮係止状態にするために必要な力を小さくできる。
【００６２】
また、本実施形態に係るコネクタ１では、メスハウジング２０は、上下方向への移動を規制してロックアーム１５の嵌合方向への移動を案内する、左側外側面２３から突設された第２のガイドレール２７を更に有している。
これにより、第２のガイドレール２７によってロックアーム１５の上下方向への移動が規制されるため、メスハウジング２０の上下方向への移動が更に規制され、上下方向への外力に起因するガタつきが抑制される。
【００６３】
尚、本発明の技術的範囲は、上述した実施形態に限定されるものではない。上述した実施形態は、本発明の技術的範囲内で種々の変形や改良等を伴うことができる。
【００６４】
例えば、本実施形態に係るコネクタ１では、ガイドアーム１３が２つの基部１３ａ，１３ａと、該基部１３ａ，１３ａを接続する接続部１３ｂと、を有してＵ字状に形成されており、第１のガイドレール２５は前後方向に延びる２つの突条から成る構成としたが、オスハウジング１０とメスハウジング２０とが嵌合される際に、第１のガイドレール２５がガイドアーム１３の上下方向への移動を規制してガイドアーム１３の嵌合方向への移動を案内可能な構成であればよく、例えばガイドアーム１３が前後方向に延びる１つの棒状部材から成り、第１のガイドレール２５が当該棒状部材の上下方向への移動を規制する形状に形成されている構成としても構わない。
【００６５】
また、本実施形態に係るコネクタ１では、第１のガイドレール２５は、第１のガイドレール２５から上下方向に延びるように延設された規制部２６を有し、ガイドアーム１３は、嵌合時において規制部２６と右側外側面２１との間に位置する当接部１４を有する構成としたが、第１のガイドレール２５がガイドアーム１３の上下方向への移動を規制してガイドアーム１３の嵌合方向への移動を案内可能な構成であればよく、規制部２６及び当接部１４が形成されていない構成としても構わない。
【００６６】
また、本実施形態に係るコネクタ１では、仮係止突起３３は、第１の仮係止突起３３ａと第２の仮係止突起３３ｂとを有している構成としたが、上下方向に延びる１つの仮係止突起のみを有している構成としても構わない。
【００６７】
また、本実施形態に係るコネクタ１では、メスハウジング２０は、上下方向への移動を規制してロックアーム１５の嵌合方向への移動を案内する第２のガイドレール２７を有している構成としたが、当該第２のガイドレール２７が設けられておらず、第１のガイドレール２５のみによりオスハウジング１０の上下方向への移動が規制されている構成としても構わない。
【００６８】
また、本実施形態に係るコネクタ１では、ロックアーム１５が２つの基部１５ａ，１５ａと、該基部１５ａ，１５ａを接続して係止突起２９に係止される係止面１７を形成する接続部１５ｂと、を有してＵ字状に形成されている構成としたが、オスハウジング１０とメスハウジング２０とが嵌合した状態である嵌合状態においてロックアーム１５が係止突起２９に係止され、オスハウジング１０の嵌合方向への移動が規制される構成であればよく、例えばロックアーム１５が先端に係止爪が形成された前後方向に延びる１つの棒状部材から成り、係止突起２９が当該係止爪に係止されることによりロックアーム１５の前後方向への移動が規制される構成としても構わない。
【００６９】
また、本実施形態に係るコネクタ１では、オスハウジング１０には、複数の接触部４１をその一端で結合した、接地回路と接続されるジョイント端子４０が保持される構成としたが、オスハウジング１０に保持される端子はこれに限られない。
【００７０】
また、本実施形態に係るコネクタ１では、オスハウジング１０が角筒状に形成される構成としたが、オスハウジング１０の形状は筒状であればよく、例えば、円筒状でも構わない。この場合には、ガイドアーム１３及びロックアーム１５を当該円筒状に対応した断面扇形に形成すればよい。
【００７１】
また、本実施形態に係るコネクタ１では、仮嵌合状態においては、半挿入検知ピン１２の先端側における一部が、メスハウジング２０のフード部３８に収容されている構成としたが、半挿入検知ピン１２の少なくとも一部がフード部３８に収容されていればよく、半挿入検知ピン１２の全てがフード部３８に収容されている構成としても構わない。
【００７２】
また、本実施形態に係るコネクタ１では、メス端子挿入力がロック反力よりも小さくなるように本係止突起３１の傾斜面３２の角度を設定する構成としたが、メス端子挿入力がロック反力よりも大きくなるように傾斜面３２の角度が設定されていても構わない。この場合には、作業者は、仮嵌合状態においてメス端子４５を端子収容室３５に挿入する際に、メスハウジング２０を把持してメス端子４５を挿入すればよい。
【符号の説明】
【００７３】
１  コネクタ
１０  オスハウジング
１１  壁部
１１ａ  装着部
１２  半挿入検知ピン
１３  ガイドアーム
１３ａ  基部
１３ｂ  接続部
１４  当接部
１５  ロックアーム
１５ａ  基部
１５ｂ  接続部
１７  係止面
２０  メスハウジング
２１  右側外側面（第１の外側面）
２３  左側外側面（第２の外側面）
２５  第１のガイドレール
２６  規制部
２７  第２のガイドレール
２９  係止突起
３１  本係止突起
３２  傾斜面
３３  仮係止突起
３３ａ  第１の仮係止突起
３３ｂ  第２の仮係止突起
３５  端子収容室
３６  ランス
３７  撓み空間
３８  フード部
４０  ジョイント端子
４１  接触部
４３  連結部
４５  メス端子
４７  接触バネ片
５０  パッキン
【図１】
2014035947.tif 000003
【図２】
2014035947.tif 000004
【図３】
2014035947.tif 000005
【図４】
2014035947.tif 000006
【図５】
2014035947.tif 000007
【図６】
2014035947.tif 000008
【図７】
2014035947.tif 000009
【図８】
2014035947.tif 000010
【図９】
2014035947.tif 000011
【図１０】
2014035947.tif 000012
【図１１】
2014035947.tif 000013
【図１２】
2014035947.tif 000014
【図１３】
2014035947.tif 000015
【図１４】
2014035947.tif 000016